(57)【特許請求の範囲】
【請求項１】
原動機及び前記原動機によって駆動される刃物を有する本体と、
前記刃物を突出させる貫通穴を有し、被削材上を摺動するベースと、
前記ベースに立設された、前記本体の連結用のスタンド部と、を備え、
切断進行方向を前後方向とした場合に、
前後方向に延びるリブが前記ベースに設けられ、
前記スタンド部は、左右方向において、前記貫通穴の形成範囲の外側に位置し又は延在し、
前記スタンド部は、左右方向に延出する第１部分と、前記第１部分から前後方向に延出する第２部分と、を有し、
前記第２部分と前記リブの前後方向における位置が互いに部分的に重複する、携帯用切断機。
【請求項２】
原動機及び前記原動機によって駆動される刃物を有する本体と、
前記刃物を突出させる貫通穴を有し、被削材上を摺動するベースと、
前記ベースに立設された、前記本体の連結用のスタンド部と、を備え、
切断進行方向を前後方向とした場合に、
前後方向に延びるリブが前記ベースに設けられ、
前記スタンド部は、左右方向において、前記貫通穴の形成範囲の外側に位置し又は延在し、
前記スタンド部と前記リブの前後方向における位置が互いに部分的に重複し、
前記スタンド部は、トンネル部を有し、
前記リブは、前記トンネル部内に延在する、携帯用切断機。
【請求項３】
前記ベースは、板金部品であり、
前記スタンド部は、前記ベースと別体の部品である、請求項１又は２に記載の携帯用切断機。
【請求項４】
前記スタンド部は、前後方向を軸とする前記本体の傾斜角を調節するための傾動ガイドである、請求項１から３のいずれか一項に記載の携帯用切断機。
【請求項５】
原動機及び前記原動機によって駆動される刃物を有する本体と、
前記刃物を突出させる貫通穴を有し、被削材上を摺動するベースと、
前記ベースに立設された、前記本体の連結用のスタンド部と、を備え、
前記ベースの摺動方向を前後方向とした場合に、
前後方向に延びるリブが前記ベースに設けられ、
前記スタンド部は、前記リブの前方側で前記ベースに立設され、
前記摺動方向と交差する左右方向において、前記スタンド部と前記リブの位置が互いに部分的に重複する、携帯用切断機。
【請求項６】
原動機及び前記原動機によって駆動される刃物を有する本体と、
前記刃物を突出させる貫通穴を有し、被削材上を摺動するベースと、
前記ベースに立設された、前記本体の連結用のスタンド部と、を備え、
前記ベースの摺動方向を前後方向とした場合に、
前後方向に延びるリブが前記ベースに設けられ、
前記スタンド部は、前記リブの前方側で前記ベースに立設され、
前記摺動方向と交差する左右方向において、前記貫通穴の形成範囲で前記スタンド部と前記リブとの位置が互いに部分的に重複する、携帯用切断機。
【発明の詳細な説明】
【技術分野】
【０００１】
本発明は、丸のこ等の携帯用切断機に関する。
【背景技術】
【０００２】
丸のこは、一般に、原動機（例えばモータ）を内蔵した本体をベースの上部に連結した構造であり、前記原動機によって回転駆動される丸のこ刃を所定量だけベースの底面から突出させ、前記ベースの底面側にセットした被削材を前記丸のこ刃で加工する（下記特許文献１）。従来、丸のこのベースにはダイキャストが多く用いられるが、ダイキャストは固いものの脆いため、板金部品からなるベースが要求されることもある。
【先行技術文献】
【特許文献】
【０００３】
【特許文献１】実開平０６−０８３２２２号公報
【発明の概要】
【発明が解決しようとする課題】
【０００４】
板金部品は、例えばエンボス加工によって形成した補強用のリブによって、板材としての強度を高めることができる。また、丸のこの場合、本体の傾動位置調整用にベースに立設される金属製のスタンド部も、ベースの補強に寄与する。ここで、図２３に示す比較例のように、スタンド部８４０とリブ８３２との間に、スタンド部８４０もリブ８３２も存在しない断面（図２３のＦ−Ｆ断面）があると、ベース８３０に負荷がかかった際に、当該断面を境にベースが折れ曲がって変形しやすいという課題があった。【０００５】
本発明はこうした状況を認識してなされたものであり、その目的は、ベース全体の強度を向上させることの可能な携帯用切断機を提供することにある。
【課題を解決するための手段】
【０００６】
本発明のある態様は、携帯用切断機である。この携帯用切断機は、
原動機及び前記原動機によって駆動される刃物を有する本体と、
前記刃物を突出させる貫通穴を有し、被削材上を摺動するベースと、
前記ベースに立設された、前記本体の連結用のスタンド部と、を備え、
切断進行方向を前後方向とした場合に、
前後方向に延びるリブが前記ベースに設けられ、
前記スタンド部は、左右方向において、前記貫通穴の形成範囲の外側に位置し又は延在し、
前記スタンド部は、左右方向に延出する第１部分と、前記第１部分から前後方向に延出する第２部分と、を有し、
前記第２部分と前記リブの前後方向における位置が互いに部分的に重複する。
【０００７】
本発明のもう１つの態様は、携帯用切断機である。この携帯用切断機は、
原動機及び前記原動機によって駆動される刃物を有する本体と、
前記刃物を突出させる貫通穴を有し、被削材上を摺動するベースと、
前記ベースに立設された、前記本体の連結用のスタンド部と、を備え、
切断進行方向を前後方向とした場合に、
前後方向に延びるリブが前記ベースに設けられ、
前記スタンド部は、左右方向において、前記貫通穴の形成範囲の外側に位置し又は延在し、
前記スタンド部と前記リブの前後方向における位置が互いに部分的に重複し、
前記スタンド部は、トンネル部を有し、
前記リブは、前記トンネル部内に延在する。
前記ベースは、板金部品であり、前記スタンド部は、前記ベースと別体の部品であってもよい。
【０００８】
前記スタンド部は、前後方向を軸とする前記本体の傾斜角を調節するための傾動ガイドであってもよい。【００１１】
本発明のもう１つの態様は、携帯用切断機である。この携帯用切断機は、
原動機及び前記原動機によって駆動される刃物を有する本体と、
前記刃物を突出させる貫通穴を有し、被削材上を摺動するベースと、
前記ベースに立設された、前記本体の連結用のスタンド部と、を備え、
前記ベースの摺動方向を前後方向とした場合に、
前後方向に延びるリブが前記ベースに設けられ、
前記スタンド部は、前記リブの前方側で前記ベースに立設され、
前記摺動方向と交差する左右方向において、前記スタンド部と前記リブの位置が互いに部分的に重複する。
【００１２】
本発明のもう１つの態様は、携帯用切断機である。この携帯用切断機は、原動機及び前記原動機によって駆動される刃物を有する本体と、前記刃物を突出させる貫通穴を有し、被削材上を摺動するベースと、前記ベースに立設された、前記本体の連結用のスタンド部と、を備え、前記ベースの摺動方向を前後方向とした場合に、前後方向に延びるリブが前記ベースに設けられ、前記スタンド部は、前記リブの前方側で前記ベースに立設され、前記摺動方向と交差する左右方向において、前記貫通穴の形成範囲で前記スタンド部と前記リブとの位置が互いに部分的に重複する。【００１３】
なお、以上の構成要素の任意の組合せ、本発明の表現を方法やシステムなどの間で変換したものもまた、本発明の態様として有効である。
【発明の効果】
【００１４】
本発明によれば、ベース全体の強度を向上させることの可能な携帯用切断機を提供することができる。
【図面の簡単な説明】
【００１５】
【図１】本発明の実施の形態１に係る携帯用切断機１を前方左上から見た斜視図。
【図２】携帯用切断機１を後方右上から見た斜視図。
【図３】携帯用切断機１の正面図。
【図４】携帯用切断機１の平面図。
【図５】携帯用切断機１の左側面図。
【図６】携帯用切断機１のベース組（携帯用切断機１の本体１０を除く部分）を後方右上から見た斜視図。
【図７】図６のベース組を後方左上から見た斜視図。
【図８】図６のベース組を前方左上から見た斜視図。
【図９】図６のベース組の平面図。
【図１０】図９のＡ−Ａ断面図。
【図１１】本発明の実施の形態２に係る携帯用切断機のベース組を後方右上から見た斜視図。
【図１２】図１１のベース組を後方左上から見た斜視図。
【図１３】図１１のベース組の平面図。
【図１４】図１３のＢ−Ｂ断面図。
【図１５】本発明の実施の形態３に係る携帯用切断機のベース組を後方右上から見た斜視図。
【図１６】図１５のベース組を後方左上から見た斜視図。
【図１７】図１５のベース組の平面図。
【図１８】図１７のＣ−Ｃ断面図。
【図１９】本発明の実施の形態４に係る携帯用切断機のベース組の平面図。
【図２０】図１９のＤ−Ｄ断面図。
【図２１】本発明の実施の形態５に係る携帯用切断機のベース組の平面図。
【図２２】図２１のＥ−Ｅ断面図。
【図２３】比較例に係る携帯用切断機のベース組の平面図。
【発明を実施するための形態】
【００１６】
以下、図面を参照しながら本発明の好適な実施の形態を詳述する。なお、各図面に示される同一または同等の構成要素、部材等には同一の符号を付し、適宜重複した説明は省略する。また、実施の形態は発明を限定するものではなく例示であり、実施の形態に記述されるすべての特徴やその組み合わせは必ずしも発明の本質的なものであるとは限らない。
【００１７】
（実施の形態１）  図１〜図１０を参照し、本発明の実施の形態１に係る携帯用切断機１を説明する。図１により、前後、上下、左右の各方向を定義する。携帯用切断機１は、丸のこであり、本体１０、ベース３０、スタンド部４０、連結部材５０、ブラケット６０、及びリンク６１、を備える。本体１０の構成は周知であり、以下では簡単な説明に留める。
【００１８】
本体１０は、ベース３０に対して、左右方向又は左右の一方向に傾動可能かつ上下方向に揺動可能に支持される。本体１０は、ハウジング１１及びギヤカバー１３により外殻が形成される。ハウジング１１は、例えば樹脂成形体であり、図３及び図４における破線で表すように、原動機としてのモータ２（電動モータ）を内部に収容する。ハンドル部１２は、ハウジング１１に設けられる。ハンドル部１２には、使用者がモータ２の駆動、停止を切り替えるためのトリガ１２ａが設けられる。ギヤカバー１３は、例えばアルミ等の金属製であり、モータ２の回転を減速して鋸刃１６に伝達する不図示の減速機構を覆うと共に、鋸刃１６の上半分を覆う。保護カバー１５は、例えば樹脂成形体であり、鋸刃１６の下半分を開閉可能に覆う。刃物としての鋸刃１６は、円板状の回転刃であり、モータ２によって回転駆動される。鋸刃１６は、ベース３０の貫通穴３１を通ってベース３０の下面から下方に突出する。
【００１９】
ベース３０は、例えばアルミ等の金属製の略長方形の板金部品である。ベース３０の長手方向は切断進行方向と一致する。ベース３０の底面は、被削材との摺動面である。ベース３０は、鋸刃１６を通すための貫通穴３１と、補強用の複数のリブ３２と、を有する。リブ３２は、エンボス加工によって形成されたエンボスリブであり、上面が凸となるように形成され、図１０に示すように反対面（下面）には凹となる。リブ３２は、切断進行方向（前後方向）と略平行に延び、左右方向に複数並列に設けられる。
【００２０】
スタンド部４０は、ベース３０の前端部に立設され、本体１０の傾動位置を調節する傾動位置調節機構を形成する。スタンド部４０は、ベース３０とは別体の金属部品（例えばダイキャスト）であり、ベース３０の前端部にネジ止め等により固定される。スタンド部４０は、基部４１と、ベベルプレート部４７と、を有する。基部４１は、ベース３０への固定部であり、左右方向に延出する第１部分４２と、第１部分４２から後方に延出する第２部分４３と、を含む。第１部分４２は、左右方向において、貫通穴３１の形成範囲から右方に延在する。第２部分４３は、本実施の形態では２つ設けられ、第１部分４２の左右両端部からそれぞれ後方に延びる。第２部分４３（ベース３０の上面と接触してベース３０の補強に寄与している部分）と、ベース３０の３つあるリブ３２のうち左側２つのリブ３２と、の前後方向における位置が、互いに部分的に重複する。具体的には、基部４１は、上方から見てＵ字形状を成しており、左側２つのリブ３２が、基部４１のＵ字形状の内側に延在する（リブ３２の前端部が基部４１のＵ字形状の内側に位置する）。左右方向における貫通穴３１が形成されている範囲において、左側２つのリブ３２と第２部分４３とが互いに部分的に重複する。
【００２１】
ベベルプレート部４７は、前後方向と略垂直であって、基部４１から立ち上がり、傾動ガイド穴４８を有し、本体１０の傾動ガイドとして機能する。傾動ガイド穴４８は、前後方向と略平行な傾動軸４９を中心とする円弧状の長穴である。連結部材５０は、本体１０とスタンド部４０とを連結する部材であり、一端が傾動軸４９に回動可能に支持される。連結部材５０の他端は、本体１０のハウジング１１を回動可能に支持する。使用者は、傾動固定レバー５１を緩めることで、連結部材５０を傾動軸４９を中心に回動可能とし、本体１０の傾動位置を調節できる。また、使用者は、傾動固定レバー５１を締めることで、連結部材５０の回動位置を固定し、本体１０の傾動位置を固定できる。
【００２２】
ブラケット６０は、切込み深さ調整機構を構成するリンク６１の支持体であり、貫通穴３１の後方においてベース３０にネジ止め等により固定される。リンク６１は、本体１０を上下方向に揺動可能とする。リンク６１は、円弧状の長穴６２を有し、本体１０の揺動ガイドとして機能する。使用者は、揺動固定レバー６３を緩めることで、本体１０の揺動位置（すなわち鋸刃１６による切込み深さ）を調整できる。また、使用者は、揺動固定レバー６３を締めることで、本体１０の揺動位置を固定できる。
【００２３】
本実施の形態によれば、下記の効果を奏することができる。
【００２４】
(1) ベース３０の左側２つのリブ３２と、スタンド部４０の基部４１の、ベース３０の上面との接触部分と、の前後方向位置が、互いに部分的に重複するため、リブ３２の後端から基部４１の前端までにおいて、ベース３０の垂直断面（前後方向と垂直な平面の断面）には、リブ３２と基部４１の少なくともいずれかが存在することになり、図２３に示す比較例（Ｆ−Ｆ断面にはリブ８３２もスタンド部８４０も存在しない）と比較して、ベース３０の強度を向上させることができる。
【００２５】
(2) ベース３０は、板金部品であるため、ダイキャストの場合と比較して脆さを低減できる。
【００２６】
（実施の形態２）  図１１〜図１４を参照し、本発明の実施の形態２に係る携帯用切断機を説明する。本実施の形態の携帯用切断機は、実施の形態１のものと比較して、スタンド部４０の基部４１の構造において相違し、その他の点で一致する。以下、相違点を中心に説明する。基部４１は、上方から見て略長方形であり、ベース３０の左側２つのリブ３２の前端部の上方を覆う。基部４１は、後端側に開いた２つのトンネル部４４を有し、各トンネル部４４に、ベース３０の左側２つのリブ３２の前端部が入り込む。本実施の形態も、実施の形態１と同様の効果を奏することができる。
【００２７】
（実施の形態３）  図１５〜図１８を参照し、本発明の実施の形態３に係る携帯用切断機を説明する。本実施の形態の携帯用切断機は、実施の形態１のものと比較して、スタンド部４０の基部４１の左側の第２部分４３が無くなった点（基部４１が上方から見てＵ字形状からＬ字形状に変わった点）で相違し、その他の点で一致する。本実施の形態も、実施の形態１と同様の効果を奏することができる。
【００２８】
（実施の形態４）  図１９及び図２０を参照し、本発明の実施の形態４に係る携帯用切断機を説明する。本実施の形態の携帯用切断機は、実施の形態１のものと比較して、スタンド部４０の基部４１の第２部分４３が第１部分４２左右方向中間部から後方に延び（基部４１が上方から見てＵ字形状からＴ字形状に変わり）、ベース３０の３つのリブ３２のうち左右両端のリブ３２と第２部分４３の前後方向位置が互いに部分的に重複する点で相違し、その他の点で一致する。本実施の形態も、実施の形態１と同様の効果を奏することができる。
【００２９】
（実施の形態５）  図２１及び図２２を参照し、本発明の実施の形態５に係る携帯用切断機を説明する。本実施の形態の携帯用切断機は、実施の形態１のものと比較して、リブ３２が貫通穴３１の左側及び基部４１の右側に設けられ、各リブ３２と基部４１の前後方向位置が互いに部分的に重複する点で相違し、その他の点で一致する。本実施の形態も、実施の形態１と同様の効果を奏することができる。
【００３０】
以上、実施の形態を例に本発明を説明したが、実施の形態の各構成要素や各処理プロセスには請求項に記載の範囲で種々の変形が可能であることは当業者に理解されるところである。以下、変形例について触れる。
【００３１】
携帯用切断機１は、丸のこに限定されず、例えばジグソー等の他の種類のものであってもよい。リブ３２の数は、実施の形態の例に限定されず、１つ以上の任意の個数でよい。リブ３２は、前後方向と平行に延びる形状に限定されず、前後方向に斜めに延びる形状であってもよい。また、互いに異なる方向に延びる複数のリブ３２が交差してもよい。
【符号の説明】
【００３２】
１…携帯用切断機、１０…本体、１１…ハウジング、１２…ハンドル部、１２ａ…トリガ、１３…ギヤカバー、１５…保護カバー、１６…鋸刃（刃物）、１７…電源コード、３０…ベース、３１…貫通穴、３２…リブ（エンボスリブ）、４０…スタンド部、４１…基部、４２…第１部分、４３…第２部分、４４…トンネル部、４７…ベベルプレート部、４８…傾動ガイド穴、４９…傾動軸、５０…連結部材、５１…傾動固定レバー、６０…ブラケット、６１…リンク、６２…長穴、６３…揺動固定レバー、８３０…ベース、８３２…リブ、８４０…スタンド部
【図１】
0006702437.tif 000002
【図２】
0006702437.tif 000003
【図３】
0006702437.tif 000004
【図４】
0006702437.tif 000005
【図５】
0006702437.tif 000006
【図６】
0006702437.tif 000007
【図７】
0006702437.tif 000008
【図８】
0006702437.tif 000009
【図９】
0006702437.tif 000010
【図１０】
0006702437.tif 000011
【図１１】
0006702437.tif 000012
【図１２】
0006702437.tif 000013
【図１３】
0006702437.tif 000014
【図１４】
0006702437.tif 000015
【図１５】
0006702437.tif 000016
【図１６】
0006702437.tif 000017
【図１７】
0006702437.tif 000018
【図１８】
0006702437.tif 000019
【図１９】
0006702437.tif 000020
【図２０】
0006702437.tif 000021
【図２１】
0006702437.tif 000022
【図２２】
0006702437.tif 000023
【図２３】
0006702437.tif 000024